(57)【要約】【課題】導光板の主面側に取り付けねじを露出させることなく取り付けることにより、優れた美観を有する表示装置を提供と共に、天井等の高所に取り付ける場合であっても、容易に取り付けることができる表示装置を提供することも目的とする。【解決手段】取り付け部材の側方を側面部材７０が覆い、取り付け部材の前方、後方、上方及び下方の導光板５０を有しない部分を保護部材８０が覆うことにより、全体としてすっきりとした印象を演出し、優れた美観を演出することができる。【選択図】図１
2015166786.tif 000002
【特許請求の範囲】
【請求項１】
天井又は壁面に固定される取り付け部材と、
上面から入射した光を主に主面方向に拡散し、前記取り付け部材に取り付けられる導光板と、
前記導光板の上面に光を照射する光源部材と、
前記取り付け部材に固定され、前記取り付け部材の側方の少なくとも一部を覆う側面部材と、
前記取り付け部材の側方を除く四方の少なくとも一部を覆う保護部材と、
前記保護部材の内面側に設けられ、前記保護部材と前記側面部材とを固定する固定部材と、
を備えたことを特徴とする、
表示装置。
【請求項２】
前記固定部材は、雄ねじと、前記雄ねじの軸が通過する貫通孔を有する板状部材と、からなり、
前記側面部材は、前記雄ねじが螺合するねじ孔を有し、
前記固定部材は、前記雄ねじが前記ねじ孔に螺合することにより、前記保護部材を前記側面部材に着脱可能に固定することを特徴とする、
請求項１に記載の表示装置。
【請求項３】
前記保護部材は、前記雄ねじと対向する位置に雄ねじ回転孔を有し、
前記雄ねじ回転孔の直径は、前記雄ねじの頭の直径よりも短く、前記雄ねじのねじ穴の直径よりも長いことを特徴とする、
請求項２に記載の表示装置。
【請求項４】
前記板状部材は、縦板と横板とが略直角に配置されてなり、
前記貫通孔は、前記縦板に設けられており、
前記横板が前記保護部材の上方の内面に固定されることを特徴とする、
請求項２又は３に記載の表示装置。
【請求項５】
請求項１から４のいずれか１項に記載の表示装置において、
前記導光板の両主面側の上部にそれぞれ固定される吊り下げ部材と、
を更に備え、
前記取り付け部材は、前方及び後方に突出部を更に有し、
前記吊り下げ部材が、前記突出部と係合することにより、前記吊り下げ部材が前記取り付け部材に吊り下げられることを特徴とする、
表示装置。
【請求項６】
前記吊り下げ部材は、前記導光板の両主面側にそれぞれ固定される一対の板状の部材であって、それぞれ、側方側から中心方向に形成された挿入凹部と、上方が開口するＬ字形状に形成された固定凹部と、を更に備え、前記挿入凹部及び前記固定凹部が前記突出部とそれぞれ係合することにより、前記吊り下げ部材が前記取り付け部材に吊り下げられることを特徴とする、
請求項５に記載の表示装置。
【請求項７】
前記吊り下げ部材は、前記側面部材及び前記保護部材に囲まれることにより、外部に露出しないことを特徴とする、
請求項５又は６に記載の表示装置。
【請求項８】
前記光源部材は、前記導光板を前記取り付け部材に固定した際、前記導光板と前記取り付け部材との間に配置されることを特徴とする、
請求項１から７のいずれか１項に記載の表示装置。
【発明の詳細な説明】
【技術分野】
【０００１】
本発明は、表示装置に関する。
【背景技術】
【０００２】
従来から、天井等に取り付けて使用される表示装置として種々の表示装置が知られている。例えば、特許文献１には、表示情報を有する表示板を筐体部から取り外すことなく容易に取り外して交換することができ、かつ、表示板の周囲を明るくすることができる表示装置が記載されている。
【先行技術文献】
【特許文献】
【０００３】
【特許文献１】特開２０１３−１８２８１３号公報
【発明の概要】
【発明が解決しようとする課題】
【０００４】
しかしながら、こうした表示装置では、表示板の主面側に取り付けねじが露出しており、ねじが視認されることにより、美観が損なわれるという課題がある。また、表示装置が一体となって固定されるため、天井等の高所に取り付ける場合には、重量のある導光板を含む表示装置全体を取り付ける必要があるため、取り付けの際に大きな労力が必要となるという課題がある。
【０００５】
本発明は、このような課題に鑑みなされたものであり、導光板の主面側に取り付けねじを露出させることなく取り付けることにより、優れた美観を有する表示装置を提供することを主目的とする。また、同時に、天井等の高所に取り付ける場合であっても、容易に取り付けることができる表示装置を提供することも目的とする。
【課題を解決するための手段】
【０００６】
本発明は、上述の主目的の少なくとも１つを達成するために以下の手段を採った。
【０００７】
本発明の表示装置は、
天井又は壁面に固定される取り付け部材と、
上面から入射した光を主に主面方向に拡散し、前記取り付け部材に取り付けられる導光板と、
前記導光板の上面に光を照射する光源部材と、
前記取り付け部材に固定され、前記取り付け部材の側方の少なくとも一部を覆う側面部材と、
前記取り付け部材の側方を除く四方の少なくとも一部を覆う保護部材と、
前記保護部材の内面側に設けられ、前記保護部材と前記側面部材とを固定する固定部材と、
を備えたことを特徴とする、
ものである。
【０００８】
この表示装置は、側面部材によって取り付け部材側方が覆われ、保護部材によって側方を除く他の四方が覆われているため、外部から取り付け部材が視認し難くい。また、側面部材や保護部材の外面が平坦面である場合には、平坦な外面が外部から視認されることになるため、全体としてすっきりとした外観を有することとなり、優れた美観を演出することができる。このとき、保護部材は保護部材の内側に固定された固定部材によって側面部材を介して取り付け部材に固定されているため、固定部材と取り付け部材とをねじ等で固定した場合であっても、固定部材やねじ等の固定具が外部から視認される可能性を未然に低減し、全体としてシンプルな印象を与えることができる。
【０００９】
本発明の表示装置において、前記固定部材は、雄ねじと、前記雄ねじの軸が通過する貫通孔を有する板状部材と、からなり、前記側面部材は、前記雄ねじが螺合するねじ孔を有し、前記固定部材は、前記雄ねじが前記ねじ孔に螺合することにより、前記保護部材を前記側面部材に着脱可能に固定することを特徴とするものであってもよい。こうすれば、側面部材に設けられたねじ孔に固定部材に設けられた貫通孔を通過する雄ねじを螺合することにより、保護部材と側面部材とが固定部材によって着脱可能に固定される。こうすることにより、保護部材が側面部材を介して取り付け部材に固定されるため、保護部材の外観がすっきりとした印象を与え、優れた美観を演出することができる。
【００１０】
この態様を採用した表示装置において、前記保護部材は、前記雄ねじと対向する位置に雄ねじ回転孔を有し、前記雄ねじ回転孔の直径は、前記雄ねじの頭の直径よりも短く、前記雄ねじのねじ穴の直径よりも長いことを特徴とするものであってもよい。こうすれば、雄ねじ回転孔にドライバー等を挿入して雄ねじを回転することで保護部材と側面部材とを容易に着脱することができ、着脱時の労力を低減することができる。このとき、回転孔の直径は雄ねじの頭の直径よりも短く、かつ、保護部材の内面側に雄ねじが位置することになるため、雄ねじが保護部材の外面に直接設けられている場合と比較して、雄ねじが外部から視認し難くなり、優れた美観を演出することができる。
【００１１】
本発明の表示装置において、前記板状部材は、縦板と横板とが略直角に配置されてなり、前記貫通孔は、前記縦板に設けられており、前記横板が前記保護部材の上方の内面に固定されることを特徴とするものであってもよい。こうすれば、雄ねじが通過する貫通孔と保護部材の前方及び後方の外面とが略平行に位置することになるため、取り付け部材と固定部材とが略平行である場合には、保護部材も同様に略平行に取り付けることができる。また、保護部材に雄ねじ回転孔が設けられている場合には、この回転孔と雄ねじのねじ穴とが略平行になるため、ドライバー等で雄ねじを回転する際に回転させやすい。
【００１２】
本発明の表示装置は、前記導光板の両主面側の上部にそれぞれ固定される吊り下げ部材と、を更に備え、前記取り付け部材は、前方及び後方に突出部を更に有し、前記吊り下げ部材が、前記突出部と係合することにより、前記吊り下げ部材が前記取り付け部材に吊り下げられることを特徴とするものであってもよい。天井又は壁面に予め設置された取り付け部材に重量の大きな導光板が固定された吊り下げ部材を吊り下げることにより、表示装置を設置する際に重たい導光板を支持した状態で作業する必要が無く、取り付け労力を低減することができる。加えて、この吊り下げ部材は、取り付け部材の前方及び後方にそれぞれ設けられた突出部に吊り下げるという容易な動作で吊り下げることができるため、吊り下げる際も、容易に吊り下げることができる。
【００１３】
この態様を採用した本発明の表示装置において、前記吊り下げ部材は、前記導光板の両主面側にそれぞれ固定される一対の板状の部材であって、それぞれ、側方側から中心方向に形成された挿入凹部と、上方が開口するＬ字形状に形成された固定凹部と、を更に備え、前記挿入凹部及び前記固定凹部が前記突出部とそれぞれ係合することにより、前記吊り下げ部材が前記取り付け部材に吊り下げられることを特徴としてもよい。こうすれば、吊り下げ部材を取り付け部材に沿って動かすという簡単な操作で、挿入凹部と固定凹部とに突出部をそれぞれ挿入することができるため、容易に取り付け部材に吊り下げ部材を吊り下げることができる。このとき、固定凹部は上方が開口するＬ字形状に形成されているため、固定凹部と突出部が係合した後には、自重により意図せず吊り下げ部材が離脱する可能性を未然に低減することができる。
【００１４】
本発明の表示装置において、前記吊り下げ部材は、前記側面部材及び前記保護部材に囲まれることにより、外部に露出しないことを特徴としてもよい。こうすれば、吊り下げ部材が外部から視認されることがないため、優れた美観を演出することができる。
【００１５】
本発明の表示装置において、前記光源部材は、前記導光板を前記取り付け部材に固定した際、前記導光板と前記取り付け部材との間に配置されることを特徴としてもよい。こうすれば、固定部材と吊り下げ部材を固定するという一連の操作の中で光源部材を固定することができるため、光源部材を固定する際の労力を低減することができる。
【図面の簡単な説明】
【００１６】
【図１】図１は、表示装置２０の構成の概略を示す斜視図である。
【図２】図２は、表示装置２０の構成の概略を示す一部分解斜視図である。
【図３】図３Ａは、保護部材８０の斜視図であり、図３Ｂは、保護部材８０の側面図である。
【図４】図４は、取り付け部材３０に吊り下げ部材４０を吊り下げることを説明するための説明図である。
【図５】図５は、取り付け部材４０に側面部材７０を取り付ける状態を説明するための説明図である。
【図６】図６は、保護部材８０を取り付ける状態を説明するための説明図である。
【図７】図７は、他の実施の形態の表示装置２０の構成の概略を示す斜視図である。
【図８】図８は、拡散ドット５２のバリエーションを説明するための部分拡大斜視図である。
【発明を実施するための形態】
【００１７】
次に、本発明の実施の形態の一例として、表示装置２０について詳しく説明する。以下に説明する実施の形態及び図面は、本発明の実施形態の一部を例示するものであり、これらの構成に限定する目的に使用されるものではなく、本発明の要旨を逸脱しない範囲において適宜変更することができる。なお、各図において対応する構成要素には同一又は類似の符号を付す。また、表示装置２０の組み立て方法を説明することにより、本発明の表示装置２０の製造方法の一例も明らかにする。なお、本明細書において、「上方」とは、取り付け部材３０が取り付けられる側であって、図１中の上側を意味し、「下方」、「上
方」、「後方」、「右方」及び「左方」とは、上方を基準とした相対的な方向を意味するものとする。また、「右方」及び「左方」のことを「側方」とも言う。
【００１８】
表示装置２０は、図１に示すように、主に、取り付け部材３０と、導光板５０が固定された状態で取り付け部材３０に吊り下げられる吊り下げ部材４０（図２参照）と、導光板５０に光を照射する光源部材６０（図２参照）と、取り付け部材３０の側面側に取り付けられる側面部材７０と、側面部材７０に取り付けられる保護部材８０と、によって構成される。この表示装置２０は、光源部材６０から照射された光が導光板５０によって主に主面から前方側及び後方側に出射する。
【００１９】
取り付け部材３０は、図２に示すように、上方側が開放された略Ｕ字形状の金属製の部材である本体部３２を有し、本体部３２の上方側の中心には接続部３４が設けられている。また、本体部３２から前方側及び後方側に向かって突出する突出部は、接続部３４を中心に対向して左方に突出部３６ａが、右方に突出部３６ｂが、それぞれ設けられている。また、本体部３２から前方側及び後方側に、突出部３６ａから左方側に向かって順に係止部３８及びねじ孔３９がそれぞれ設けられ、本体部３２から前方側及び後方側に、突出部３６ｂから右方側に向かって順に係止部３８及びねじ孔３９がそれぞれ設けられている。この取り付け部材３０は、接続部３４を介して天井又は壁面に固定され、天井面又は壁面と表示装置２０との間に空間がある場合には、接続部３４の周りを保護カバー３５で覆うことにより、接続部３４及び図示しない電源コード等が外部に露出することを未然に防止し、電源コードの破損を防ぐとともに、すっきりとした印象を演出することができる。なお、天井面又は壁面と表示装置２０との空間が乏しい場合には、保護カバー３５は用いなくとも良い。
【００２０】
吊り下げ部材４０は、導光板５０の主面にそれぞれ固定される一対の金属製の部材であって、側方に開口する挿入凹部４２と、上方に開口する固定凹部４４とがそれぞれ設けられている。吊り下げ部材４０を取り付け部材３０に吊り下げる際には、挿入凹部４２に突出部３６ａを、固定凹部４４に突出部３６ｂをそれぞれ挿入することで、吊り下げ部材４０を取り付け部材３０に吊り下げる。また、この吊り下げ部材４０を導光板５０の両側主面に図示しないねじでそれぞれ固定した際には、吊り下げ部材４０と吊り下げ部材４０との間隔が上方と下方とでは階段状に上方が広くなるように形成されている。このため、間隔の広い上方で後述する光源部材６０を挟み込むことができるため、吊り下げ部材４０を導光板５０に固定するという一連の動きの中で、光源部材６０も位置決めすることができる。
【００２１】
導光板５０は、厚さが約４ｍｍから約８ｍｍであり、略四角形形状の板状に形成された透過性を有するメタクリル樹脂製の板である。この導光板５０の両側主面には、複数の拡散ドット５２（図８参照）が設けられており、光源部材６０によって導光板５０の端面に照射された光を、主面から前方側及び後方側に出射する。
【００２２】
拡散ドット５２は、図８Ａに示すように、略四角錐形状に凹む凹部であり、拡散ドット５２の配置位置により、文字又は模様が表現される位置に設けられている。このため、拡散ドット５２で文字又は模様を描くように配置することで、拡散ドット５２で拡散される光によって、文字又は模様を表示することができる。また、この拡散ドット５２は、四角錐の底面に相当する位置が導光板５０の主面に位置するように設けられており、各辺の長さは、０．６ｍｍ〜１．５ｍｍに設けられ、拡散ドット５２の深さは、０．４ｍｍ〜０．８ｍｍに設けられている。また、隣り合う拡散ドット５２間のピッチは、約１．５ｍｍ〜約８．０ｍｍのピッチに設けられている。なお、図１、２及び４から７中では拡散ドット５２の記載は省略した。
【００２３】
光源部材６０は、図２に示すように、基板６２と、この基板６２に所定の間隔で実装された複数の表面実装型の白色の平面発光型ＬＥＤ６４（以下、「ＬＥＤ６４」と言う。）と、断面が略Ｕ字形状のＣ型鋼６６からなり、Ｃ型鋼６６の凹部の底面に基板６２が両面テープ等で貼着されている。このため、ＬＥＤ６４が使用により発熱した場合であっても、基板６２を介してＣ型鋼６６に熱が伝わり、高温による誤作動や破損の可能性を未然に低減することができる。また、Ｃ型鋼６６の凹部の幅は導光板５０の厚さと略同一又は、やや広く形成されているため、Ｃ型鋼６６の凹部に導光板５０の端面を嵌め込むことにより、容易に光源部材６０を導光板５０に対して所望の位置に取り付けることができる。
【００２４】
側面部材７０は、図２に示すように、取り付け部材３０の側方を覆った状態で取り付け部材３０に固定される一対の金属製の部材であり、内側の端部であって前方側及び後方側に係合凹部７２が設けられており、内側から側方側に向かって順に、第一ねじ孔７４及び第二ねじ孔７６が前方側及び後方側にそれぞれ設けられている。この側面部材７０に取り付け部材３０に取り付けられた際には、係合凹部７２が係止部３８と係合することで位置決めされ、ねじ孔３９と第一ねじ孔７４とを図示しない雄ねじで固定することで、側面部材７０と取り付け部材３０とを強固に固定することができる。
【００２５】
保護部材８０は、図２及び図３に示すように、保護部材８０の上方側であって、内側面に固定部材８１が、保護部材８０の前方側及び後方側の外面８０ａには一対の雄ねじ回転孔８６が、それぞれ設けられた金属製のカバー部材である。この保護部材８０を、図２に示すように取り付け部材３０の前方側及び後方側からそれぞれ側面部材７０を介して取り付けることにより、保護部材８０によって取り付け部材３０が覆われ、取り付け構造が外側から視認されにくく、優れた美観を提供することができる。また、雄ねじ回転孔８６は、直径が後述する雄ねじ８４の頭の直径よりも短く、雄ねじ８４のねじ穴の直径よりも長く形成されている。このため、雄ねじ８４が雄ねじ回転孔８６から脱落する可能性を未然に低減するとともに、雄ねじ回転孔８６を介して雄ねじ８４が視認し難くなるため、優れた美観を演出することができる。
【００２６】
固定部材８１は、図２及び図３に示すように、横板８２ａと貫通孔８２ｃを有する縦板８２ｂとが略直角に連接された金属製の板状部材８２と、雄ねじ８４と、を備えている。この雄ねじ８４は、貫通孔８２ｃに軸の一部が貫通した状態で雄ねじ８４の頭が雄ねじ回転孔８６の方向を向くように挿入されている。このとき、横板８２ａと縦板８２ｂとは略直角に形成されているため、横板８２ａを保護部材８０の上方の内面に固定した場合には、縦板８２ｂと保護部材８０の前方側及び後方側の外面８０ａとが略平行になる。このため、縦板８２ｂに設けられた貫通孔８２ｃに挿入された雄ねじ８４のねじ孔と保護部材８０に設けられた雄ねじ回転孔８６とが略平行となるため、雄ねじ回転孔８６にドライバー等を挿入して雄ねじ８４を回しやすい。また、保護部材８０の前方側及び後方側の内面８０ｂと縦板８２ｂとの間隔が、雄ねじ８４の頭の厚みと略同一となる位置に固定部材８１は固定されている。このため、雄ねじ８４が脱落する可能性を未然に低減することができる。
【００２７】
次に、表示装置２０を天井又は壁面に取り付ける取り付け方法について、図４から図６を用いて説明する。ここで、図４から図６は、表示装置２０を天井又は壁面に取り付ける際の取り付け方法を説明した説明図であり、図４は、取り付け部材３０に吊り下げ部材４０を吊り下げる前後の状態を、図５は、取り付け部材３０に側面部材７０を取り付ける前後の状態を、図６は、保護部材８０を取り付ける様子を、それぞれ示している。
【００２８】
表示装置２０を天井又は壁面に取り付ける際には、まず、接続部３４を介して天井又は壁面に取り付け部材３０を固定する。このとき、表示装置２０と天井面又は壁面との間に空間がある場合には、接続部３４を保護カバー３５で覆う。こうすることにより、接続部３４や図示しない電源コード等が外部から視認される可能性を低減し、優れた美観を演出することができる。なお、表示装置２０を天井面又は壁面に近い位置に設置する場合には、保護カバー３５を設ける必要は無い。
【００２９】
次に、予め天井面又は壁面に取り付けられた取り付け部材３０に吊り下げ部材４０を吊り下げ方法について、図４を用いて説明する。ここで、図４Ａは、取り付け部材３０に吊り下げ部材４０を吊り下げる前の状態を、図４Ｂは、取り付け部材３０に吊り下げ部材４０を吊り下げた状態を、それぞれ示している。吊り下げ部材４０を取り付け部材３０に吊り下げる際には、挿入凹部４２に突出部３６ａを、固定凹部４４に突出部３６ｂをそれぞれ挿入し、吊り下げ部材４０を図４中の矢印の方向に移動する。こうすることにより、突出部３６ａ及び突出部３６ｂがそれぞれ挿入凹部４２及び固定凹部４４の奥に移動し、自重により吊り下げ部材３０は下方向に押圧される。このとき、挿入凹部４２の奥部の上方側に凹みを有しているため、この凹みに突出部３６ａが引っ掛かることになり、挿入凹部４２から突出部２６ａが脱落する可能性を低減することができる。また、固定凹部４４は、Ｌ字形状の凹部に突出部３６ｂが移動すると、上方向への移動が規制されるため、固定凹部４４から突出部３６ｂが脱落する可能性を未然に低減することができる。このように、重量の大きな導光板５０が固定された吊り下げ部材４０を先に取り付け部材３０に吊り下げることにより、以後の取り付けの際に導光板５０を別途支える必要が無いため、取り付け時の労力を低減し、安全性を高めることができる。
【００３０】
続いて、吊り下げ部材４０が吊り下げられた取り付け部材３０に側面部材７０を固定する固定方法について、図５を用いて説明する。ここで、図５Ａは、取り付け部材３０に側面部材７０を取り付ける前の状態を、図５Ｂは、取り付け部材３０に側面部材７０を取り付けた状態を、それぞれ示している。図５Ａに示すように、取り付け部材３０に側面部材７０を取り付ける際には、取り付け部材３０の側方から、側面部材７０をそれぞれ図５中の矢印の方向に移動し、それぞれ側面部材７０の間に嵌め込む。具体的には、図５Ｂに示すように、取り付け部材３０の前方側及び後方側に接続部３４を中心に対向して左方側及び右方側にそれぞれ設けられた係止部３８と側面部材７０の端部に設けられた係合凹部７２とが係合する位置まで取り付け部材３０に側面部材７０を嵌め込む。こうすることにより、側面部材７０を取り付け部材３０の所定の位置に位置決めすることができる。このとき、側面部材７０に設けられた第一ねじ孔７４とねじ孔３９とが連通する位置に位置決めされるため、図示しない雄ねじを用いることで、側面部材７０と取り付け部材３０とを固定することができる。こうすることにより、側面部材７０によって吊り下げ部材４０の側方への移動が規制されることになるため、側面部材７０と同時に吊り下げ部材４０も取り付け部材３０に固定される。
【００３１】
最後に、取り付け部材３０に側面部材７０を介して保護部材８０を取り付ける取り付け方法について図６を用いて説明する。ここで、図６Ａは、側面部材７０に保護部材８０を取り付ける前の状態を示す斜視図であり、図６Ｂは、側面部材７０に保護部材８０が固定された状態で雄ねじ回転孔８６を含む平面で切断した断面図である。側面部材７０に保護部材８０に取り付ける際には、図６Ａ中の矢印で示すように、取り付け部材３０の前方側及び後方側から、それぞれ保護部材８０を取り付ける。こうすることにより、保護部材８０によって、取り付け部材３０の上方側、前方側、後方側及び導光板５０を除いた下方側が覆われ、側面部材７０によって取り付け部材３０の側方側が覆われるため、取り付け部材３０が外部から視認されない。このとき、取り付け部材３０に取り付けた雄ねじ等の取り付け部も外部から視認されないため、全体としてすっきりとした印象を与え、優れた美観を演出することができる。
【００３２】
ここで、取り付け部材３０に側面部材７０を介して保護部材８０が固定された状態について、図６Ｂを用いて更に詳しく説明する。取り付け部材３０に側面部材７０を介して保護部材８０を取り付ける際には、図６Ｂに示すように、固定部材８１を側面部材７０に取り付けることで、側面部材７０を介して取り付け部材３０と保護部材８０とを固定する。具体的には、保護部材８０に設けられた雄ねじ回転孔８６にドライバー等を挿入し、固定部材８１に設けられた雄ねじ８４を回転させる。こうすることにより、雄ねじ８４が側面部材７０に設けられたねじ孔７６と螺合し、保護部材８０と側面部材７０とが固定される。
【００３３】
以上詳述した本実施の形態の表示装置２０によれば、取り付け部材３０の側方を取り付け部材３０に固定された側面部材７０が覆い、取り付け部材３０の前方、後方、上方及び下方の導光板５０を有しない部分を側面部材７０に固定された保護部材８０が覆うことにより、取り付け部材３０に吊り下げられた吊り下げ部材４０及び取り付け部材３０と側面部材７０とを固定する図示しない雄ねじが外部から視認されることを防止することができるため、表示装置２０の外観を全体としてすっきりとした印象を演出し、優れた美観を演出することができる。
【００３４】
また、保護部材８０は、保護部材８０の内側に設けられた固定部材８１によって側面部材７０に固定される。この側面部材７０は取り付け部材３０に固定されているため、保護部材８０は側面部材７０を介して取り付け部材３０に固定されることになる。このため、表示装置２０の外部から視認されることなく保護部材８０を取り付け部材３０に固定することができる。こうすることにより、表示装置２０の外観を全体としてすっきりとした印象を演出し、優れた美観を演出することができる。このとき、固定部材８１と側面部材７０とは、雄ねじ８４を回転させるという簡単な操作で着脱することができるため、着脱時の労力を低減することができる。
【００３５】
更に、雄ねじ８４が配置される際、雄ねじ８４のねじ穴と対向する位置における保護部材８０の前方側及び後方側の外面８０ａには雄ねじ回転孔８６が設けられているため、雄ねじ回転孔８６にドライバー等を挿入することで、容易に雄ねじ８４を回転させることができる。加えて、雄ねじ回転孔８６の直径は、雄ねじ８４の頭の直径よりも短く形成されているため、雄ねじ８４が雄ねじ回転孔８６から脱落する可能性を未然に低減すると共に、雄ねじ８４が外部に露出している場合と比較して、雄ねじ８４が外部から視認され難くし、すっきりとした印象を演出し、優れた美観を演出することができる。
【００３６】
更にまた、固定部材８１は、横板８２ａと縦板８２ｂとが略直角に連接された板状部材８２によって、保護部材８０の上方の内面に固定されているため、貫通孔８２ｃに雄ねじ８４が配置された際、雄ねじ８４のねじ穴と保護部材８０の前方側及び後方側の外面８０ａに設けられた雄ねじ回転孔８６とが略平行に位置することになる。こうすることにより、雄ねじ回転孔８６にドライバー等を挿入して雄ねじ８４を回転させる際に、容易に回転させることができる。
【００３７】
そして、導光板５０の固定された吊り下げ部材４０を取り付け部材３０の前方側及び後方側にそれぞれ設けられた突出部３６ａ及び突出部３６ｂに吊り下げることにより、取り付け部材３０に側面部材７０を固定する際や、側面部材７０に保護部材８０を固定する際に、重量の大きな導光板５０を支える必要が無い。このため、表示装置２０を組み立てる際の労力を低減することができる。このとき、吊り下げ部材４０は、吊り下げ部材４０に設けられた挿入凹部４２及び固定凹部４４に突出部３６ａ及び突出部３６ｂをそれぞれ挿入するという簡単な操作で吊り下げ部材４０を取り付け部材３０に吊り下げることができるため、表示装置２０を組み立てる際の労力が少ない。
【００３８】
そして更に、挿入凹部４２は上方に凹みを有する直線形状に、固定凹部４４は上方側が開放されたＬ字形状に形成されているため、挿入凹部４２及び固定凹部４４に突出部３６ａ及び突出部３６ｂが一度係合した場合には、重力により係止されることになり、吊り下げ部材４０が取り付け部材３０から脱落する可能性を未然に低減することができる。
【００３９】
そして更にまた、吊り下げ部材４０は、側面部材７０及び保護部材８０によって表示装置２０の内側に格納されることになるため、外部から視認されにくい。こうすることにより、表示装置２０の全体として整然とした優れた美観を演出することができる。
【００４０】
加えて、取り付け部材３０に吊り下げ部材４０を吊り下げた際、一対の吊り下げ部材４０と取り付け部材３０及び導光板５０に囲まれた領域に光源部材６０が配置されるため、取り付け部材３０を吊り下げ部材４０に吊り下げるという一連の操作の中で、光源部材６０を配置することができる。このため、光源部材６０を配置するために新たな労力を必要としない。
【００４１】
なお、本発明は上述した実施の形態に何ら限定されることはなく、本発明の技術的範囲に属する限り種々の態様で実施し得ることはいうまでもない。
【００４２】
例えば、上述した実施の形態では、表示装置２０を１つの取り付け部材３０で取り付けるものとしたが、図７に示すように、２つの取り付け部材３０で取り付けても良いし、３つ以上の取り付け部材３０で取り付けても良い。導光板５０の大きさに合わせて、取り付け部材３０を使用する数は適宜選択することができる。
【００４３】
上述した実施の形態では、導光板５０は透過性を有するメタクリル樹脂製の板であるものとしたが、透過性を有する素材であればメタクリル樹脂製に限定されるものでなく、メチルメタクリレートやエチルメタクリレート等のメタクリル樹脂意外にも、例えば、メチルアクリレート、エチルアクリレート等のアクリル製樹脂、ＡＢＳ樹脂、ポリカーボネート、ポリエチレン等の種々の素材を用いることができる。いずれの場合であっても、上述した実施の形態と同様の効果が得られる。
【００４４】
上述した実施形態にでは、一対の吊り下げ部材４０を導光板５０の両主面側に固定するものとしたが、導光板５０の一方主面側又は両主面側の表面側に乳半板を配置し、導光板５０と乳半板とを同時に固定しても良い。こうすれば、導光板５０に設けられた拡散ドット５２を外部から視認し難くし、全体としてより均一な光を照射することができる。また、上方が開放された導光板５０が収納可能な大きさのケースに収納しても良い。この場合も、導光板５０に設けられた拡散ドット５２を外部から視認し難くし、全体としてより均一な光を照射することができる。
【００４５】
上述した実施の形態では、拡散ドット５２は両主面側に設けられるものとしたが、一方主面側にのみ設けるものとしてもよい。この場合であっても、上述した実施の形態と同様の効果が得られる。このとき、拡散ドット５２を形成した側に反射シートを設けても良い。こうすれば、拡散ドット５２が形成された側に拡散された光を反射シートで反射することができるため、拡散ドット５２が形成されていない側の主面からより明るい光を出射することができる。
【００４６】
上述した実施の形態では、拡散ドット５２の配置位置により、文字又は模様を表現するものとしたが、拡散ドット５２に変えて、レーザー加工痕や超音波加工痕、切削加工痕等によって文字又は模様を表現しても良いし、これらを組み合わせて文字又は模様を表現しても良い。いずれの場合であっても、上述した実施の形態と同様の効果を得ることができる。
【００４７】
上述した実施の形態では、拡散ドット５２は、四角錐形状の凹部であり、拡散ドット５２の各辺の長さが約０．６ｍｍ、深さが約０．４ｍｍであり、隣り合う四角錐型の拡散ドット５２間のピッチが２．０ｍｍに形成されているものとしたが、これに限定されるものではなく、適宜好適なサイズを選択することができる。四角錐型の拡散ドット５２の各辺の長さは、例えば、０．２ｍｍ〜１．５ｍｍで選択してもよい。また、四角錐型の拡散ドット５２の深さは、例えば、０．４ｍｍ〜０．８ｍｍで選択してもよい。更に、隣り合う四角錐型の拡散ドット５２間のピッチは、例えば、１．５ｍｍ〜８．０ｍｍのピッチの間から適宜選択してもよいし、１．５ｍｍ〜３．０ｍｍであってもよい。いずれの場合であっても、上述した実施の形態と同様の効果を得ることができる。
【００４８】
上述した実施の形態では、拡散ドット５２は四角錐形状の凹部であるものとしたが、拡散ドット５２として形成される拡散凹部の形状及び大きさは、特に限定するものではない。適宜様々な形状及び大きさの拡散凹部からなる拡散ドット５２を採用することができる。例えば、図８Ｂは、円錐側の拡散凹部からなる拡散ドット５２を示している。図８Ｃは、四角柱型の拡散凹部からなる拡散ドット５２を示している。図８Ｄは、四角錐台形の拡散凹部からなる拡散ドット５２を示している。図８Ｅは、半球型の拡散凹部からなる拡散ドット５２を示している。また作製方法としては、超音波加工、加熱加工、レーザー加工、切削加工等種々の加工方法を採用してもよいし、予め凹凸が刻まれた金型を用いて射出成形等の方法を用いてもよい。また、例えば、図８Ｆに示すように、凸状の膨らんだ拡散凸部であってもよい。拡散凸部は、クリーン印刷やシルク印刷等によって、盛り上がるように（凸状）主面に形成する。また、それぞれの拡散ドット５２の大きさは、同じであっても異なっていても良い。例えば、後方側から上方側に向かって、四角錐型の拡散ドット５２の各辺を徐々に長くしたり、四角錐型の拡散ドット５２の深さを徐々に深くしたりしても良い。こうすれば、ＬＥＤ６４から近く光が強い位置では拡散される光量が小さくなり、ＬＥＤ６４から遠ざかるにつれて拡散される光量が大きくなるため、主面から照射される光の光量を均一に近づけることができる。
【００４９】
上述した実施の形態では、ＬＥＤ６４は、平面発光型の白色の発光ダイオードとしたが、平面発光型に限定されるものでなく、側面発光型、砲弾型等いずれのタイプであってもよい。また、ＬＥＤ６４の光の色は、白色に限定するものではなく、例えば、赤色、橙色、黄色、緑色、青色、藍色又は紫色のいずれかの色若しくはそれらの色の組み合わせ等であってもよい。いずれの場合であっても、上述した実施の形態と同様の効果が得られる。
【００５０】
上述した実施の形態では、吊り下げ部材４０に上方に凹みを有する直線形状の挿入凹部４２と、上方側が開放されたＬ字形状に形成された固定凹部４４とを設けるものとしたが、吊り下げ部材４０を取り付け部材３０の前方側及び後方側に設けられた突出部３６ａ及び突出部３６ｂに吊り下げ可能な形状であれば、これらの形状に限定されるものではなく、また、挿入凹部４２と固定凹部４４とが同一の形状であっても、異なる形状であっても良い。いずれの場合であっても、吊り下げ部材４０を取り付け部材３０に吊り下げることができる。
【００５１】
上述した実施の形態では、雄ねじ８４を設けるにあたり、雄ねじ８４の頭の厚みと保護部材８０の前方側及び後方側の内面８０ｂと縦板８２ｂとの間隔が略同一となる位置に固定部材８１を固定することで雄ねじ８４の脱落を防止するものとしたが、雄ねじ８４を貫通孔８２ｃに螺合することで雄ねじ８４の脱落を防止するものとしても良いし、前方側及び後方側の内面８０ｂと縦板８２ｂとの間隔を雄ねじ８４の軸の長さより短くすることで、雄ねじ８４の脱落する可能性を未然に低減してもよい。いずれの場合であっても、上述した実施の形態と同様の効果が得られる。
【産業上の利用可能性】
【００５２】
上述した実施の形態で示すように、広告分野、特に意匠性の優れた吊り下げ型表示装置して利用することができる。
【符号の説明】
【００５３】
２０…表示装置、２６ａ…突出部、３０…取り付け部材、３２…本体部、
３４…接続部、３５…保護カバー、３６ａ、３６ｂ…突出部、３８…係止部、
３９…ねじ孔、４０…吊り下げ部材、４２…挿入凹部、４４…固定凹部、
５０…導光板、５２…拡散ドット、６０…光源部材、６２…基板、
６４…平面発光型ＬＥＤ、６６…Ｃ型鋼、７０…側面部材、７２…係合凹部、
７４…第一ねじ孔、７６…第二ねじ孔、８０…保護部材、８０ａ…外面、
８０ｂ…内面、８１…固定部材、８２…板状部材、８２ａ…横板、
８２ｂ…縦板、８２ｃ…貫通孔、８４…雄ねじ、８６…雄ねじ回転孔。
【図１】
2015166786.tif 000003
【図２】
2015166786.tif 000004
【図３】
2015166786.tif 000005
【図４】
2015166786.tif 000006
【図５】
2015166786.tif 000007
【図６】
2015166786.tif 000008
【図７】
2015166786.tif 000009
【図８】
2015166786.tif 000010